(57)【要約】【課題】簡単な構成で譜面台機能を実現する。【解決手段】アップライトピアノ型の鍵盤楽器の楽器本体１０の後部には立ち上がり部１０ａが形成される。蓋体１２０において、第１上板１２１と第２上板１２２とは、連結部ＣＯＮにて屈伸自在、すなわち、延設状態から折り畳み状態まで回動可能に連結されている。蓋体１２０は、開蓋状態においては、第１上板１２１と第２上板１２２とが折り畳み状態となって、立ち上がり部１１０ａの前面１１０ａａに近接して起立する。開蓋状態では、連結部ＣＯＮが、譜面２５の下端２５ａを支持し、立ち上がり部１１０ａの前面１１０ａａが譜面２５の背面２５ｂを支持することで、両者が協働して譜面台機能を果たす。一方、閉蓋状態においては延設状態となって、第１、第２上板１２１、１２２が鍵盤ＫＢを上方から覆う。【選択図】図４
2010113371.tif 000002
【特許請求の範囲】
【請求項１】
楽器本体と、演奏操作子と、該演奏操作子用の蓋体と、前記演奏操作子の後方において前記楽器本体から上方に立ち上がった立ち上がり部とを有して、外観がアップライトピアノ型に構成された楽器であって、
前記蓋体は、連結部にて延設状態から折り畳み状態まで回動可能に連結された第１、第２板体を少なくとも有して成り、
前記蓋体の前記第１、第２板体が略水平に延びて前記演奏操作子を上方から覆う状態で閉蓋状態となる一方、前記第１、第２板体が折り畳まれて且つ前記立ち上がり部の前面に近接して起立し前記連結部が前記蓋体のうち最も高い位置に位置する状態で開蓋状態となるように構成され、
前記開蓋状態では、前記蓋体の前記連結部が譜面の下端を支持すると共に前記立ち上がり部の前記前面が前記譜面の背面部を後方から支持することで、前記連結部と前記立ち上がり部の前記前面とが協働して譜面台機能を果たすように構成されたことを特徴とする楽器。
【請求項２】
前記蓋体は、開蓋状態においては、前記第１板体が前側、前記第２板体が後側に位置すると共に、前記第１板体の上側となっている端部が前記第２板体の上側となっている端部よりも高く、前記第２板体の上側となっている前記端部が前記譜面の下端を実質的に支持すると共に前記第１板体の上側となっている前記端部が前記譜面の下端部の前方への脱落を防止するストッパ機能を果たすことを特徴とする請求項１記載の楽器。
【請求項３】
前記第２板体に対して回動自在に取り付けられた回動部材を有し、前記開蓋状態において前記譜面台機能部に譜面を載置したとき、前記回動部材を前記譜面側に回動させることで、前記回動部材が譜面押さえ機能を果たすように構成されたことを特徴とする請求項２記載の楽器。
【発明の詳細な説明】
【技術分野】
【０００１】
本発明は、譜面台機能を有する鍵盤楽器等の楽器に関する。
【背景技術】
【０００２】
従来、鍵盤楽器等の楽器には、譜面台が備えられる。譜面台は一般に、譜面を下方から支える譜面受けと譜面の背面を支える背もたれ部分とを有する。また、譜面台に加え、譜面を前方から押さえる譜面押さえが設けられた楽器も知られている。また、外観がアップライトピアノ型に構成される鍵盤楽器等の楽器は、一般に、演奏操作子としての複数鍵と、これら鍵を覆う蓋体と、鍵盤の後方において本体から上方に立ち上がった立ち上がり部を有し、この種の楽器にも一般に、譜面を載置するための譜面台機能部が設けられる。
【０００３】
例えば、下記特許文献１の楽器は、鍵盤蓋上に回動自在な譜面立てを設け、開蓋時において天板が譜面立ての後面を支えることで、鍵盤蓋と譜面立てとで譜面を支持するように構成される。また、下記特許文献２の楽器は、蓋体の先端部に、鍵並び方向に起立及び折り畳み自在な枠状の譜面立てを設け、蓋体の先端部と起立した譜面立てとで譜面を支持するように構成される。
【先行技術文献】
【特許文献】
【０００４】
【特許文献１】特開平１０−２６９７４号公報
【特許文献２】実公平３−２２７８２号公報
【発明の概要】
【発明が解決しようとする課題】
【０００５】
しかしながら、上記特許文献１、２の楽器では、譜面の背面を後方から支持する機能は譜面立てが果たし、譜面立てが譜面背面支持だけのために設けられることから、構成を簡単にする観点からは改善の余地があった。
【０００６】
また、特にアップライトピアノ型の楽器では、上記立ち上がり部の上部に譜面台機能部を設けると、譜面位置が高くなって見にくいという問題がある。さらに、スピーカや楽音パラメータ設定操作子等を上記立ち上がり部に配置する場合、譜面との干渉を避ける観点で配置関係を考慮することが望まれる。
【０００７】
また、上記立ち上がり部を有しないような楽器においても、譜面台機能部と他の機能部との共通利用を図る等によって構成を簡単にしコストを低減させることが望まれる。
【０００８】
本発明は上記従来技術の問題を解決するためになされたものであり、その目的は、簡単な構成で譜面台機能を実現することができる楽器を提供することにある。
【課題を解決するための手段】
【０００９】
上記目的を達成するために本発明の請求項１の楽器は、楽器本体（１１０）と、演奏操作子と、該演奏操作子用の蓋体（１２０）と、前記演奏操作子の後方において前記楽器本体から上方に立ち上がった立ち上がり部（１１０ａ）とを有して、外観がアップライトピアノ型に構成された楽器であって、前記蓋体は、連結部（ＣＯＮ）にて延設状態から折り畳み状態まで回動可能に連結された第１、第２板体（１２１、１２２）を少なくとも有して成り、前記蓋体の前記第１、第２板体が略水平に延びて前記演奏操作子を上方から覆う状態で閉蓋状態となる一方、前記第１、第２板体が折り畳まれて且つ前記立ち上がり部の前面（１１０ａａ）に近接して起立し前記連結部が前記蓋体のうち最も高い位置に位置する状態で開蓋状態となるように構成され、前記開蓋状態では、前記蓋体の前記連結部が譜面の下端を支持すると共に前記立ち上がり部の前記前面が前記譜面の背面部を後方から支持することで、前記連結部と前記立ち上がり部の前記前面とが協働して譜面台機能を果たすように構成されたことを特徴とする。
【００１０】
この構成によれば、開蓋状態において蓋体の連結部が譜面の下端支持機能を果たすと共に、通常設けられる立ち上がり部の前面が譜面の背面部支持機能を果たすので、譜面台専用の機構を別途設ける場合に比し構成が簡単で済む。しかも、蓋体は、起立時には連結部で折り畳まれるので、高さが低くなり、低くて見やすい位置に譜面を載置することができる。
【００１１】
請求項３の構成によれば、譜面台機能部に載置された譜面に対して、回動部材が譜面押さえ機能を果たすので、簡単な構成で、譜面押さえ機能を実現することができる。しかも、蓋体は、起立時には連結部で折り畳まれるので、高さが低くなり、低くて見やすい位置に譜面を載置することができる。
【００１２】
なお、上記括弧内の符号は例示である。
【発明の効果】
【００１３】
本発明の請求項１に係る楽器によれば、簡単な構成で譜面台機能を実現すると共に、譜面を低い位置に載置することができる。
【００１４】
本発明の請求項３によれば、簡単な構成で譜面押さえ機能を実現することができる。
【図面の簡単な説明】
【００１５】
【図１】本発明の第１の実施の形態に係る楽器の外観斜視図である。
【図２】本楽器の右側面図である。
【図３】閉蓋状態における蓋体の上板の先端部近傍の部分側面図である。
【図４】本発明の第２の実施の形態に係る楽器の右側面図である。
【図５】開蓋状態における本楽器の上半部を示す正面図である。
【図６】蓋体の折り畳み状態における連結部の右側面図（図（ａ））、及び折り畳み状態における蓋体を右斜め上後方からみた斜視図（図（ｂ））である。
【図７】本発明の第３の実施の形態に係る楽器の上半部の右側面図（図（ｂ））、同図（ｂ）のＡ部の拡大図（図（ａ））、本発明の第４の実施の形態に係る楽器の上半部の右側面図（図（ｄ））、及び同図（ｄ）のＢ部の拡大図（図（ｃ））である。
【発明を実施するための形態】
【００１６】
以下、本発明の実施の形態を図面を参照して説明する。
【００１７】
（第１の実施の形態）
図１は、本発明の第１の実施の形態に係る楽器の外観斜視図である。本実施の形態の楽器は、例えば、演奏操作子である複数鍵から成る鍵盤を備えたアップライトピアノ型の鍵盤楽器として構成される。図２は、本楽器の右側面図である。以降、本楽器からみて奏者側を「前方」、楽器正面視における右方を「右方」と呼称する。
【００１８】
本楽器は、楽器本体１０と、鍵盤ＫＢと、該鍵盤ＫＢ用の蓋体２０とを有する。また、鍵盤ＫＢの後方において、楽器本体１０には、上方に立ち上がった立ち上がり部１０ａが形成されている。楽器本体１０の下半部において、左右両側部には、各々メインスピーカ１２が収容される主音響発生部１１、１１が設けられる（同図に示す微小斑点部分）。楽器本体１０の上下方向略中間部から前方に延びた部分は、棚板上において鍵盤ＫＢが載置される部分であって、その部分の先端部が口棒部１３となっている。鍵盤ＫＢの左右両側には拍子木１４が設けられる（図２参照）。
【００１９】
立ち上がり部１０ａの前面１０ａａには、下から順に、名板１５（１５Ｌ、１５Ｒ）、それぞれ多数の操作子から成る各種操作子群１６（１６Ｌ、１６Ｍ、１６Ｒ）及び副音響発生部１７（１７Ｌ、１７Ｒ）が配設される。副音響発生部１７には、モニタ用スピーカ１７ａが収容されている。各種操作子群１６のうち、各種操作子群１６Ｍは、演奏時にあまり操作を必要としない操作子である。一方、各種操作子群１６Ｌ、１６Ｒは、楽音パラメータ設定操作子、レジストレーションスイッチ等、演奏中の操作が比較的必要とされる操作子の集合である。
【００２０】
また、立ち上がり部１０ａの上面１０ａｂの前部には、名板１８が立設されている。名板１５、１８には、ブランド名、機種名、シリーズ名等のロゴが刻設されている。名板１５は特に、厚みを有して立ち上がり部１０ａの前面１０ａａよりも前方に突出している。
【００２１】
蓋体２０は、上板２１と上板２１の先端部２１ａに取り付けられた蓋前部材２２とから構成される。立ち上がり部１０ａの前部には、左右方向に沿って回動軸１９が設けられている。この回動軸１９は、不図示の蝶番を有して構成されるが、その蝶番の左右方向の長さは蓋体２０全長に亘る単一のものであってもよいし、比較的短い蝶番を複数箇所に設けることで回動軸１９を構成してもよい。上板２１は、その先端部２１ａが回動軸１９を中心に上下方向に回動自在に構成され、これにより、蓋体２０が、手動操作により閉蓋状態から開蓋状態まで開閉自在になっている。なお、本楽器には不図示のダンパ機構が設けられており、蓋体２０がゆっくり閉じるようになっている。
【００２２】
蓋体２０は、開蓋状態においては、図２に実線で示すように、上板２１が名板１５に当接することで位置決めされ、立ち上がり部１０ａの前面１０ａａに近接して斜め後方に傾いた状態で起立する。名板１５は弾性を有し、開蓋時における上板２１との当接の衝撃を吸収する。なお、上板２１表面において、名板１５との当接部分には、経年変化による変色等が目立たないようにするための処理（例えば粗目処理）を施すのが望ましい。一方、蓋体２０は、閉蓋状態においては、図２に仮想線で示すように、上板２１が鍵盤ＫＢを上方から覆う。
【００２３】
図３は、閉蓋状態における蓋体２０の上板２１の先端部２１ａ近傍の部分側面図である。
【００２４】
蓋前部材２２は、取り付け部２２ａ、目隠し部２２ｂ及び口棒部当接部２２ｃから成り、アルミニウム等の材料で押し出し成形等によって一体に形成される。蓋前部材２２は、取り付け部２２ａが上板２１の先端部２１ａに、例えば図３においてネジ２３を斜め上後方に向けて、ネジ２３で螺着することで、上板２１に対して固定される。
【００２５】
閉蓋状態においては、同図に示すように、目隠し部２２ｂが、取り付け部２２ａの後半部から斜め前下方に垂下し、この垂下した目隠し部２２ｂの下端部から、口棒部当接部２２ｃが前方に延びている。目隠し部２２ｂと口棒部当接部２２ｃとを合わせて「鍵盤隠し部Ｃ１」と呼称する。口棒部当接部２２ｃの下部には、蓋前部材２２の全幅に亘って設けられた溝に嵌合されたゴム等の緩衝材２２ｄが設けられている。鍵盤隠し部Ｃ１は、側面視略Ｌ字状を呈している。閉蓋状態においては、口棒部当接部２２ｃが口棒部１３に当接して蓋体２０の位置決め機能を果たすと共に、目隠し部２２ｂが鍵盤ＫＢを前方から目隠しする。蓋前部材２２は、閉蓋状態における前面側が、側面視で略コ字状の袋状に形成され、取り付け部２２ａの目隠し部２２ｂに対向する面は、開蓋操作を行う際に指２４を掛けるための指掛け部２２ａａとして機能する。
【００２６】
一方、開蓋状態においては、図２に示すように、蓋前部材２２が譜面２５の下端２５ａを下方から支持する。より詳細には、図３に仮想線で示すように、目隠し部２２ｂが譜面２５の下端２５ａを直接支持する。また、名板１８と、立ち上がり部１０ａの前面１０ａａとが、譜面２５の背面２５ｂを後方から支持する。なお、図２では、譜面２５は側面視で撓みのない状態で示されているが、実際には多少の撓みが生じることもあるため、譜面２５の背面２５ｂは、名板１８及び立ち上がり部１０ａの前面１０ａａのいずれかまたは双方によって支持される。
【００２７】
このように、開蓋状態では、目隠し部２２ｂと、名板１８及び／又は立ち上がり部１０ａの前面１０ａａとが協働して譜面台機能を果たすようになっている。さらに、開蓋状態における譜面保持状態において、蓋前部材２２の口棒部当接部２２ｃが、譜面２５の下端２５ａの前方への脱落を防止するストッパ機能を果たす。目隠し部２２ｂ、口棒部当接部２２ｃ、名板１８はそれぞれ、譜面台機能以外の本来の機能である、鍵盤目隠し機能、閉蓋時の位置決め機能、ロゴ表示機能を有し、また、立ち上がり部１０ａの前面１０ａａは、アップライトピアノ型楽器において通常設けられる部分である。すなわち、立ち上がり部１０ａは、アップライトピアノ型のアコースティック楽器においてはアクション機構を、電子楽器においては回路部品や音響部品等を収容するために必要であることから、前面１０ａａを有することになる。このことから、譜面台専用の機構を別途設けることなく譜面台機能が実現され、構成が簡単で済む。
【００２８】
また、特に、名板１８に譜面台機能を果たさせるべく、名板１８が譜面２５で隠れるような低い位置に配置されることになるので、譜面２５の上端位置より高い位置に名板を設ける場合に比し、名板１８を含む楽器高さを低く抑えることができる。
【００２９】
また、各種操作子群１６（主に楽音パラメータ設定操作子群）については、一般には鍵盤の後方に配設されることが多いが、本実施の形態では、各種操作子群１６を前面１０ａａに設けた結果、鍵盤ＫＢの後方に設けなくてよい。そのため、鍵盤ＫＢの前後方向全長のうち見えがかり部（全長８〜１０ｍｍ程度）を覆うように蓋体２０を構成する際、蓋体２０の前後方向の長さを短く設定することができる。例えば、蓋体２０の全長は１０〜１８ｍｍ程度で足りる。そして、このような短い蓋体２０を起立させたとき、蓋体２０の上端位置が低くて済むことから、立ち上がり部１０ａの上面１０ａｂの位置を低く設定することができる。このことからも、楽器高さを低く抑えることが容易であるといえる。
【００３０】
各種操作子群１６及び副音響発生部１７はいずれも、開蓋状態における蓋体２０の上端位置より上方に位置する。しかも、各種操作子群１６のうち各種操作子群１６Ｌ、１６Ｒと、副音響発生部１７Ｌ、１７Ｒとは、立ち上がり部１０ａの前面１０ａａのうち譜面２５の背面２５ａを後方から支持する部分の左方及び右方に配置されている（図１参照）。従って、開蓋時における譜面２５の載置時、さらには載置した譜面を用いた演奏時において、副音響発生部１７からの音響の発生、及び各種操作子群１６Ｌ、１６Ｒの操作に支障を与えることがない。なお、開蓋時において譜面２５を載置していないときは、各種操作子群１６Ｍについても操作の支障がない。
【００３１】
本実施の形態によれば、目隠し部２２ｂが鍵盤目隠し機能と譜面２５の下端２５ａの支持機能とを兼ね、名板１８が、ロゴ表示機能と譜面２５の背面２５ｂの支持機能とを兼ね、通常設けられる立ち上がり部１０ａの前面１０ａａが譜面２５の背面２５ｂの支持機能を果たすので、簡単な構成で譜面台機能を実現することができる。また、口棒部当接部２２ｃが閉蓋時における蓋体２０の位置決め機能と、譜面２５の載置時における譜面２５のストッパ機能とを兼ねるので、簡単な構成で譜面脱落防止機能を実現することができる。
【００３２】
また、各種操作子群１６Ｌ、１６Ｒ、及び副音響発生部１７Ｌ、１７Ｒを、開蓋状態で譜面２５を載置したときでも蓋体２０または譜面２５によって隠れず露出するように配置したので、音響の発生または楽音パラメータ設定操作に支障を与えることがない。
【００３３】
しかも、蓋前部材２２の取り付け部２２ａが、開蓋動作の際の指掛け部２２ａａとして機能することから、結局、蓋前部材２２が、鍵盤目隠し機能、譜面下端支持機能、及び指掛け機能の３機能を兼ねる。よって、構成を複雑化することなく開蓋動作のための指掛け機能を実現することができる。
【００３４】
なお、図２に仮想線で示されるように、立ち上がり部１０ａの前面１０ａａの下部において、凹部１０ｄを設け、開蓋時において蓋体２０の上板２１が凹部１０ｄ内にちょうど収容されるように構成してもよい。このようにすれば、蓋前部材２２に譜面２５を載置したとき、譜面２５の背面２５ｂを前面１０ａａ全体で支持することができ、譜面２５の姿勢が一層安定する。
【００３５】
（第２の実施の形態）
図４は、本発明の第２の実施の形態に係る楽器の右側面図である。図５は、開蓋状態における本楽器の上半部を示す正面図である。本実施の形態の楽器は、アップライトピアノ型の鍵盤楽器として構成され、第１の実施の形態に対して蓋体の構成が大きく異なり、楽器本体の基本的構成は同様である。本楽器は、楽器本体１１０と、鍵盤ＫＢと、該鍵盤ＫＢ用の蓋体１２０とを有する。
【００３６】
楽器本体１１０の下半部の構成は、図示はしないが第１の実施の形態における楽器本体１０と同様である。楽器本体１１０の立ち上がり部１１０ａの構成は第１の実施の形態における立ち上がり部１０ａと同様であり、名板１５、１８、各種操作子群１６、副音響発生部１７が同様に設けられる。鍵盤ＫＢの前後方向の長さは、第１の実施の形態に比し長い。鍵盤ＫＢの左右両側には蓋保持部材９が、蓋保持部材９の前方には拍子木１１４が設けられる。
【００３７】
なお、各種操作子群１６は、両蓋保持部材９間において、鍵盤ＫＢの後方に設けるようにしてもよい。これと併せて、主音響発生部１１、１１を廃止すると共に、モニタ用スピーカ１７ａを大型に構成し、これを主音響発生部１１、１１に代えて主音響発生部として用いるようにしてもよい。
【００３８】
蓋体１２０は、第１上板１２１と、第２上板１２２と、第２上板１２２の先端部に取り付けられた蓋前部材１２３と、添え板１２６とから構成される。第１上板１２１と第２上板１２２とは、連結部ＣＯＮにて、屈伸自在、すなわち、延設状態から折り畳み状態まで回動可能に連結されている。第１上板１２１は、回動軸１９を中心に上下方向に回動自在に構成されている。
【００３９】
図６（ａ）は、蓋体１２０の折り畳み状態における連結部ＣＯＮの右側面図である。図６（ｂ）は、折り畳み状態における蓋体１２０を右斜め上後方からみた斜視図である。図５に示すように、連結部ＣＯＮ（ＣＯＮ（Ｌ）、ＣＯＮ（Ｒ））は、左右対称位置に２カ所設けられる。
【００４０】
図６（ａ）、（ｂ）に示すように、第１上板１２１の連結側端部１２１ａと、第２上板１２２の連結側端部１２２ａとは、平行蝶番Ｈ１（Ｈ１Ｌ、Ｈ１Ｒ）で回動自在に連結されている。すなわち、平行蝶番Ｈ１は、軸部１２８、第１蝶番片１２９、第２蝶番片１３０を有し、第１蝶番片１２９が第１上板１２１の連結側端部１２１ａにネジ１２４で固定されると共に、第２蝶番片１３０が第２上板１２２の連結側端部１２２ａにネジ１２５で固定されている。これにより、蓋体１２０は、折り畳み状態では、第１上板１２１の連結側端部１２１ａが第２上板１２２の連結側端部１２２ａより高く、段付き部が生じるクランク構造となっている。
【００４１】
蓋体１２０は、開蓋状態においては、図４に実線で示すように、前側の第１上板１２１と後側の第２上板１２２とが折り畳み状態となって、且つ、第２上板１２２が名板１５に当接することで位置決めされ、立ち上がり部１１０ａの前面１１０ａａに近接して斜め後方に傾いた状態で起立する。一方、閉蓋状態においては、図４に仮想線で示すように、蓋体１２０は、延設状態となって、左右の蓋保持部材９によって第２上板１２２が保持される。この閉蓋状態においては、第１、第２上板１２１、１２２が鍵盤ＫＢを上方から覆い、蓋前部材１２３が口棒部１１３に当接して蓋体１２０の位置決め機能を果たすと共に鍵盤ＫＢを前方から目隠しする。
【００４２】
また、図６（ａ）に示すように、第２上板１２２の、閉蓋時に鍵盤ＫＢに対向する側の面に添え板１２６が固着されている。添え板１２６は、閉蓋状態において第１上板１２１に対してオーバーラップするように、連結側端部１２２ａから突出して設けられる。添え板１２６は、第２上板１２２が、連結部ＣＯＮにおいて、第１上板１２１に対して延設状態よりさらに図４の反時計方向に回動すること（いわゆる逆折れ）を規制する役割を果たす。
【００４３】
一方、開蓋状態においては、図４、図６（ａ）に示すように、平行蝶番Ｈ１の第２蝶番片１３０が譜面２５の下端２５ａを下方から支持する。すなわち、第２上板１２２の連結側端部１２２ａが実質的に譜面２５の下端２５ａを支持する。また、第１の実施の形態と同様に、譜面２５に撓みがある場合を考慮すると、名板１８と立ち上がり部１１０ａの前面１１０ａａとが、譜面２５の背面２５ｂを後方から支持することになる。
【００４４】
さらに、開蓋状態における譜面保持状態において、第１上板１２１の連結側端部１２１ａ乃至平行蝶番Ｈ１の軸部１２８が、譜面２５の下端２５ａの前方への脱落を防止するストッパ機能を果たす。この状態ではまた、上記添え板１２６が、譜面２５の下端２５ａの後方への脱落を防止するストッパ機能を果たす。
【００４５】
また、図５に示すように、連結部ＣＯＮ（Ｌ）、ＣＯＮ（Ｒ）間において、載置される譜面２５に対向し得る位置に、平行蝶番Ｈ２（Ｈ２Ｌ、Ｈ２Ｒ）及び可動板１２７（１２７Ｌ、１２７Ｒ）が設けられる。図６（ｂ）に示すように、平行蝶番Ｈ２Ｒは、軸部１３１、第１、第２蝶番片１３２、１３３から成る。可動板１２７Ｒは、第１上板１２１とは別部材で構成される。可動板１２７Ｒに第１蝶番片１３２が固定されると共に第２上板１２２に第２蝶番片１３３が固定されて、可動板１２７Ｒが、第１上板１２１とは独立して第２上板１２２に対して回動自在になっている。また、平行蝶番Ｈ２Ｒは、可動板１２７Ｒを手動で回動させ得る範囲で適当な摩擦力を発揮するように構成されている。平行蝶番Ｈ２Ｌ、可動板１２７Ｌの構成は、平行蝶番Ｈ２Ｒ、可動板１２７Ｒと同様である。
【００４６】
開蓋状態における譜面保持状態において、可動板１２７を後方に回動させて譜面２５を前方から押さえつけると、平行蝶番Ｈ２の摩擦力によって、可動板１２７が譜面押さえの機能を果たすことができる。その一方、閉蓋動作の際、すなわち、譜面２５を除去して第２上板１２２を第１上板１２１に対して延設状態となる方向に回動させるとき、第２上板１２２が可動板１２７を同方向に自動的に駆動することになるので、可動板１２７を第１上板１２１に対して平行に戻す動作をあえて行う必要がない。これにより、可動板１２７に起因する閉蓋作業の煩雑さが回避される。
【００４７】
図５に示すように、各種操作子群１６及び副音響発生部１７はいずれも、開蓋状態における蓋体１２０の上端位置（本実施の形態では添え板１２６の上端位置）より上方に位置する。また、各種操作子群１６Ｌ、１６Ｒ、及び副音響発生部１７Ｌ、１７Ｒを、開蓋状態で譜面２５を載置したときでも蓋体１２０または譜面２５によって隠れず露出するように配置した点は、第１の実施の形態と同様である。
【００４８】
本実施の形態によれば、連結部ＣＯＮが、譜面２５の下端２５ａの支持機能を果たし、名板１８が、ロゴ表示機能と譜面２５の背面２５ｂの支持機能とを兼ね、通常設けられる立ち上がり部１１０ａの前面１１０ａａも譜面２５の背面２５ｂの支持機能を果たすので、譜面台専用の機構を別途設ける場合に比し構成が簡単で済み、簡単な構成で譜面台機能を実現することに関し、第１の実施の形態と同様の効果を奏することができる。
【００４９】
また、鍵盤ＫＢの蓋機能を有する第１上板１２１の連結側端部１２１ａと、第２上板１２２の逆折れ規制機能を有する添え板１２６とが、譜面２５の下端２５ａの前後方向のストッパ機能を果たすので、構成を複雑化することなく譜面脱落防止機能を実現することができる。
【００５０】
また、可動板１２７によって、譜面押さえの機能を果たすことができる。しかも、可動板１２７の回動軸が、連結部ＣＯＮに沿った位置に位置するので、構成が簡単で、出っ張りも少なく、譜面めくり時にもひっかかることも少なくて済み安全である。さらには、閉蓋時においては可動板１２７が第１上板１２１及び第２上板１２２の下方に隠れるので、見栄えがよく、破損もしにくい。
【００５１】
しかも、蓋体１２０は、開蓋時には折り畳み状態となるので、高さが低くて済み、低くて見やすい位置に譜面２５を載置することが容易になる。すなわち、例えば、各種操作子群を、図４に示す位置でなく鍵盤ＫＢの後方に配設した場合や、鍵盤ＫＢの長さが比較的長い場合等、立ち上がり部１１０ａ（の特に回動軸１９）から鍵盤ＫＢの先端位置までが遠いような機種であっても、開蓋状態において譜面２５を保持する連結部ＣＯＮの位置を低く設定できるので、譜面２５の位置を相対的に低くすることができる。従って、回動軸１９から鍵盤ＫＢの先端までの距離が短ければ、それに応じて譜面位置を下げることができる。
【００５２】
また、各種操作子群１６Ｌ、１６Ｒ、及び副音響発生部１７Ｌ、１７Ｒの上記配置により、音響の発生または楽音パラメータ設定操作に支障を与えないことに関し、第１の実施の形態と同様の効果を奏することができる。
【００５３】
なお、第１、第２の実施の形態において、各種操作子群１６Ｌ、１６Ｒ、及び副音響発生部１７Ｌ、１７Ｒは左右対称位置にそれぞれ２つ設けたが、いずれか片方にのみ設けてもよい。
【００５４】
なお、第１、第２の実施の形態において、名板１８と、立ち上がり部の前面１０ａａ、１１０ａａとが協働して、譜面２５の背面２５ｂを後方から支持するように構成したが、譜面保持機能を簡単な構成で実現する観点からは、これに限るものでなく、例えば、常に名板１８のみ、または立ち上がり部の前面のみで譜面２５の背面２５ｂを支持するように、名板１８の配置及び立ち上がり部の前面との位置関係を設定してもよい。なお、譜面２５の背面２５ｂを後方から支持するものは、名板１８に限定されず、例えば、左右方向に沿って配設される突条状の部材乃至部分であってもよい。
【００５５】
なお、名板１５の少なくとも一部を磁石で構成し、蓋体２０、１２０の、名板１５と当接する部位に、鉄等の磁性体で成るプレートを貼着してもよい。このようにすれば、開蓋状態において、名板１５が蓋体２０、１２０を吸着しているので、載置される譜面２５の重量が大きい場合であっても、蓋体２０、１２０の閉蓋動作が誘発されにくい。これにより、立ち上がり部１０ａ、１１０ａの前面１０ａａ、１１０ａａの傾斜をさらに急勾配に構成しても、蓋体２０、１２０の開蓋状態を安定して維持することが容易になる。
【００５６】
なお、第１、第２の実施の形態では、各種操作子群１６を立ち上がり部１０ａ、１１０ａに配設した構成を例示したが、開蓋状態の蓋体の上部に譜面が載置される構成に鑑みれば、各種操作子群１６を蓋体２０の閉蓋時における裏面（下面）（第２の実施の形態にあっては蓋体１２０の第１上板１２１の閉蓋時における裏面）に配設することで、さらに次のような別の効果を奏することができる。
【００５７】
例えば、蓋体２０の閉蓋時における裏面（下面）に各種操作子群１６や液晶表示部を配設することで、譜面載置時においても操作子操作や表示に何ら支障が生じないばかりか、各種操作子群１６が、立ち上がり部１０ａに配設される場合に比し奏者に近くなるので、操作及び視認が容易になる。また、立ち上がり部１０ａに各種操作子群１６を配設しなくてよいことから、弦を必要としない電子鍵盤楽器に適用すれば、立ち上がり部１０ａの高さを低くでき、演奏時の圧迫感が少なくなると共に、奏者の顔を楽器後方から見ることができるようになる。
【００５８】
（第３の実施の形態）
図７（ｂ）は、本発明の第３の実施の形態に係る楽器の上半部の右側面図である。図７（ａ）は、同図（ｂ）のＡ部の拡大図である。
【００５９】
本実施の形態の楽器は、立ち上がり部に相当する部分を有さないが、楽器本体のその他の基本的構成は第２の実施の形態と同様である。また、蓋体２２０の構成は、第２の実施の形態における蓋体１２０に対し、添え板１２６より長い添え板２２６を有している点が異なり、その他の構成は同様である。図７（ａ）、（ｂ）において、第２の実施の形態と同様の構成要素には同一符号が付してある。
【００６０】
蓋体２２０は、蓋前部材１２３が楽器本体の天面２１０に当接することで起立する。添え板２２６によって譜面２５の背面２５ｂが後方から支持される。譜面２５の左右方向の幅は、上記蓋保持部材９に相当する左右の蓋保持部材２０９の間の範囲において、譜面２５の幅より大きく、例えば、楽器本体全幅の１／３程度である。そして、図７（ａ）に示すように、譜面２５を載置した状態で、可動板１２７を同図時計方向に回動させることで、第２の実施の形態と同様に、可動板１２７が譜面２５を前方から押さえつけ、譜面押さえの機能を果たす。
【００６１】
本実施の形態によれば、添え板２２６が、蓋体２２０の上記逆折れ防止機能と、譜面２５の背面２５ｂの支持機能とを果たすので、譜面台専用の機構を別途設ける場合に比し構成が簡単で済み、簡単な構成で譜面台機能を実現することに関し、第２の実施の形態と同様の効果を奏することができる。
【００６２】
また、可動板１２７によって、簡単な構成で譜面押さえ機能を実現することに関し、第２の実施の形態と同様の効果を奏することができる。さらに、第１上板１２１と添え板２２６とによる譜面脱落防止機能の実現に関し、第２の実施の形態と同様の効果を奏することができる。
【００６３】
（第４の実施の形態）
図７（ｄ）は、本発明の第４の実施の形態に係る楽器の上半部の右側面図である。図７（ｃ）は、同図（ｄ）のＢ部の拡大図である。
【００６４】
本実施の形態の楽器は、楽器本体のその他の基本的構成が第３の実施の形態と同様である。また、蓋体３２０の構成は、第３の実施の形態における蓋体２２０に対し、添え板２２６を有していない点が異なり、その他の構成は同様である。図７（ｃ）、（ｄ）において、第３の実施の形態と同様の構成要素には同一符号が付してある。
【００６５】
図７（ｄ）に示すように、起立状態の蓋体３２０の後方において、蓋体３２０に近接した位置に、譜面台装置２３０が設けられる。譜面台装置２３０は、左右一対の支柱２３１と、正面視コ字（下方に開いたコ字）状の譜面背もたれ部２３２とを有する。また、図７（ｃ）に示すように、両支柱２３１の上端部間に亘って、ステイ２３３及び受け部２３５が設けられ、ステイ２３３が両支柱２３１の上端部に固定されている。受け部２３５は、回動軸２３４を中心としてステイ２３３に対して上下方向に回動自在になっている。通常、譜面台装置２３０の非使用時には受け部２３５をステイ２３３に略平行にし、使用時には受け部２３５を前方に倒す。
【００６６】
支柱２３１の間隔乃至譜面背もたれ部２３２の左右方向の幅は、譜面２５の幅よりやや大きい程度あれば十分である。両支柱２３１は、実公平１−３４２２５号公報で例示されるのと同様に、楽器本体の天面２１０に対して、プッシュオン／オフで立設固定／横倒が可能に構成される。譜面背もたれ部２３２は、それらの下端部が両支柱２３１に挿入されて、ロッドアンテナのように上下方向にスライド自在で、任意の位置で固定できるようになっている。
【００６７】
かかる構成において、譜面２５を載置する際には、蓋体３２０を起立させ、受け部２３５を図７（ｃ）に示すように前方に倒し、受け部２３５の上に譜面２５を載置する。そのとき、譜面２５の背面２５ｂは、背もたれ部２３２によって支持される。そして、図７（ｃ）に示すように、譜面２５を載置した状態で、可動板１２７を同図時計方向に回動させることで、第２の実施の形態と同様に、可動板１２７が譜面２５を前方から押さえつけ、譜面押さえの機能を果たす。なお、背もたれ部２３２に板状部材を固定して、該板状部材全体で譜面２５を受けるように構成してもよい。
【００６８】
本実施の形態によれば、可動板１２７によって、簡単な構成で譜面押さえ機能を実現することに関し、第３の実施の形態と同様の効果を奏することができる。
【００６９】
なお、本発明の適用対象は、鍵盤楽器に限定されるものでなく、演奏操作子を覆う蓋体を有して、譜面を載置することが求められるような楽器に広く本発明を適用可能である。
【符号の説明】
【００７０】
１０、１１０  楽器本体、  １０ａ、１１０ａ  立ち上がり部、  １０ａａ、１１０ａａ  前面、  １３  口棒部、  １８  名板、  １９  回動軸、  ２０、１２０、２２０、３２０  蓋体、  ２１  上板、  ２１ａ  先端部（蓋体の上側となっている端部）、  ２２  蓋前部材、  ２５  譜面、  ２５ａ  下端、  ２５ｂ  背面（背面部）、  １２１  第１上板（第１板体）、  １２２  第２上板（第２板体、譜面台機能部の一部）、  １２３  蓋前部材、  １２７  可動板（回動部材）、  ２２６  添え板、２３０  譜面台装置（譜面台機能部）、  ＣＯＮ  連結部（蓋体の上側となっている端部）、  ＫＢ  鍵盤（演奏操作子）、  Ｃ１  鍵盤隠し部
【図１】
2010113371.tif 000003
【図２】
2010113371.tif 000004
【図３】
2010113371.tif 000005
【図４】
2010113371.tif 000006
【図５】
2010113371.tif 000007
【図６】
2010113371.tif 000008
【図７】
2010113371.tif 000009